(57)【要約】  通信サービス管理システム及び通信サービス管理システムの操作方法を提供する。通信サービス管理システムは、通信サービスを提供する第１装置と、前記第１装置と接続されて前記第１装置から通信サービスイベントが受信し、前記第１装置の通信サービスを制御するために前記受信された通信サービスを出力する第２装置と、前記第１装置及び第２装置が接続されるようにサポートする無線アクセスポイントと、を含む。
2015520554.tif 000002
【特許請求の範囲】
【請求項１】
通信サービス管理システムであって、
通信サービスを提供する第１装置と、
前記第１装置と接続されて前記第１装置から通信サービスイベントを受信し、かつ、前記第１装置の通信サービスを制御するために前記受信された通信サービスを出力する第２装置と、
前記第１装置及び第２装置が接続されるようにサポートする無線アクセスポイントと、を含むことを特徴とする、通信サービス管理システム。
【請求項２】
前記第１装置は、
他の装置から受信される通話接続リクエスト、テキストメッセージ、マルチメディアメッセージ、電子メールメッセージ、インスタントメッセージのうちで少なくとも１つを受信して前記第２装置に伝達し、
前記第２装置から前記第１装置が提供する機能遂行による機能制御イベントを受信し、受信された機能制御イベントによる機能を行った後、結果を前記第２装置伝達し、又は
前記第２装置が作成したメッセージを含むデータ及び前記データ送信制御メッセージを指示する制御イベント受信し、前記データ及び制御イベントによるメッセージ作成及び作成されたメッセージの送信を制御することを含む、請求項１に記載の通信サービス管理システム。
【請求項３】
前記第１装置は、
前記第２装置から通話ログ確認のための機能制御イベントを受信し、前記機能制御イベントによる通話ログを前記第２装置に伝達し、
前記第２装置から特定情報検索のための機能制御イベントを受信し、前記機能制御イベントによる前記情報検索結果を前記第２装置に伝達し、又は
前記第２装置からフォンブック項目の登録、削除及び修正のうちで少なくとも１つを含む機能制御イベントを受信し、かつ、前記機能制御イベントによって記憶部に記憶されたフォンブックデータを更新することを含む、請求項２に記載の通信サービス管理システム。
【請求項４】
前記第２装置は、
前記第１装置と通信接続された状態、第１装置の操作状態、前記通信サービス関連イベントの受信通知のうちの少なくとも１つのインディケーションを第２装置の画面の一側に出力することを特徴とする、請求項１〜３のいずれか１項に記載の通信サービス管理システム。
【請求項５】
前記第２装置は、前記インディケーションをタスクバーにアイコンの形態で表示すること含む、請求項４に記載の通信サービス管理システム。
【請求項６】
前記第２装置は、
前記第１装置から伝達された通信サービスイベント表示のための画面インターフェース、
前記通信サービスイベントに該当する返事作成やイベント処理のための画面インターフェース、及び
前記第１装置の機能制御のための機能制御イベント作成のための画面インターフェース
のうちで少なくとも１つを表示することを含む、請求項４又は５に記載の通信サービス管理システム。
【請求項７】
通信サービス管理システムの操作方法であって、
第１装置が無線アクセスポイントを通じて第２装置に接続される過程と、
第１装置により通信サービスイベントを前記第２装置に送信する過程と、
第２装置により第１装置から前記通信サービスイベントを受信する過程と、及び第２装置により前記第１装置の通信サービスを制御するために受信された通信サービスイベントを出力する過程と、を含む通信サービス管理システムの操作方法。
【請求項８】
前記第１装置が前記第２装置からメッセージを含むデータ及び前記データの送信制御を指示する制御イベントを受信する過程と、
前記第１装置が前記受信されたメッセージによるメッセージを作成する過程と、
前記制御イベントにより作成されたメッセージを送信する過程と、を含む、請求項７に記載の通信サービス管理システムの操作方法。
【請求項９】
前記通信サービスイベントを送信する過程は、
前記第１装置が外部装置から受信された通話接続リクエスト、テキストメッセージ、マルチメディアメッセージ、電子メールメッセージ、インスタントメッセージのうちで少なくとも１つを受信する過程と、
前記第１装置が前記受信されたメッセージのうちで少なくとも１つを第２装置に伝達する過程と、を含む、請求項７又は８に記載の通信サービス管理システムの操作方法。
【請求項１０】
イベント処理を行う過程は、
前記第１装置において前記第１装置が提供する機能遂行による機能制御イベントを受信する過程と、
前記第１装置で、受信された機能制御イベントによる機能を行う過程と、
前記第１装置が前記遂行結果を前記第２装置に送信する過程と、を含む、 請求項７〜９のいずれか１項に記載の通信サービス管理システムの操作方法。
【請求項１１】
前記機能制御イベントは、通話ログ確認のためのイベントであり、かつ、前記第１装置により、前記機能制御イベントによる通話ログを前記第２装置に伝達する過程をさらに含み、
前記機能制御イベントは情報検索のためのイベントであり、かつ、前記第１装置が前記第２装置に前記機能制御イベントによる前記情報検索結果を伝達する過程をさらに含み、又は、
前記機能制御イベントはフォンブック項目の登録、削除及び修正のうちで少なくとも１つであり、かつ、前記第１装置が前記記憶部に記憶されたフォンブックを前記機能制御イベントにより更新する過程をさらに含む、請求項１０に記載の通信サービス管理システムの操作方法。
【請求項１２】
前記第２装置により、前記第１装置と通信接続された状態、第１装置の操作状態、及び前記通信サービス関連イベントの受信通知のうちの少なくとも１つのインディケーションを第２装置の画面の一側に出力することを特徴とする、請求項７〜１１のいずれか１項に記載の通信サービス管理システムの操作方法
【請求項１３】
前記第２装置は、前記インディケーションをタスクバーにアイコンの形態で表示することを含む、請求項１２に記載の通信サービス管理システムの操作方法。
【請求項１４】
前記第２装置において、
前記第１装置から伝達された通信サービスイベント表示のための画面インターフェース、
前記通信サービスイベントに該当する返事作成やイベント処理のための画面インターフェース、及び
前記第１装置の機能制御のための機能制御イベント作成のための画面インターフェース
のうちで少なくとも1つ表示する過程を含む、請求項１２又は１３に記載の通信サービス管理システムの操作方法。
【請求項１５】
前記第２装置は、前記インディケーションが表示される領域と連係された領域又は独立された領域に前記画面インターフェースを表示することを特徴とする、請求項１４に記載の通信サービス管理システムの操作方法。
【発明の詳細な説明】
【技術分野】
【０００１】
本発明は、端末機の通信サービス操作に関し、特に第１装置の通信サービス操作によるイベント発生通知及びイベント処理を別途の第２装置で確認して処理するようにサポートする通信サービス管理システム及びその操作方法に関する。
【背景技術】
【０００２】
携帯端末機は、特定ユーザ機能をサポートすると共にそのサイズが携帯することができるほどに小さいので、色色産業及び生活分野で脚光を浴びている。そして、近年、多様なユーザ機能を統合的にサポートする携帯端末機が登場しつつある。このような携帯端末機はユーザ機能をサポートしながら当該ユーザ機能に対応する画面を表示部を通じて提供している。これによりユーザは特定ユーザ機能を用いながら当該機能操作による画面を通じてコンテンツ消費を行っている。
【０００３】
一方、携帯端末機及びその他の端末機のうちで最も多い分野で普遍的に用いられる機能として通信機能がある。このような通信機能の利用のために多くのユーザが通話用端末機を購入し、通話用端末機を用いて他のユーザらと即刻でかつ便利な通話接続サービスを利用している。ところで通話用端末機の場合、携帯機能をサポートするために一定サイズ以下の表示部を有するように設計されることが普遍的である。これにより従来の通話用端末機の場合、表示部のサイズが制限的なので通信機能を操作するのに当たり、ある程度の制約を受けている。例えば、従来の通話用端末機の場合、文字入力などの困難があり、画面制御や特定コンテンツ操作などに困難なことがある。
【０００４】
一方、最近コンピュータ装置の発達により、多くの人々がコンピューティング装置を利用して様々な業務を行っている。特に業務遂行に用いられるコンピューティング装置の場合には早い作業進行と業務確認などの目的及びその他の目的などのために多様な個数のキーボトンを含むキーボード、ユーザ手に大体的に合うように製作されたマウス、大画面などを提供している。従って、ユーザは上述したコンピューティング装置を用い、より早い業務進行及びその他のコンテンツ制御を行うことができる。
【発明の概要】
【発明が解決しようとする課題】
【０００５】
ところで、ユーザはコンピューティング装置を用いながら通話用端末機を管理するのに困難がある。即ち、コンピュティング装置を用いながら作業をする中には通話用端末機を別途の場所に据え置きしたり保管することによって通話用端末機において通信サービスに係る特定イベントが発生してもこれを直ちに確認することが不可能である。従って、従来ユーザはコンピューティング装置作業を行いながらも通話用端末機の特定イベント発生を管理しなければならない負担感があり、それによる通話用端末機に対する適切な管理が難しい実情である。
【課題を解決するための手段】
【０００６】
本発明の第１側面によれば、前記通信サービス管理システムにおいて、通信サービスを提供する第１装置と、前記第１装置と接続されて前記第１装置から通信サービスイベントを受信し、前記第１装置の通信サービスを制御するために前記受信された通信サービスを出力する第２装置と、及び前記第１装置及び第２装置が接続されるようにサポートする無線アクセスポイントと、含む通信サービス管理システムが提供する。
【０００７】
本発明の第２側面によれば、第１装置が無線アクセスポイントを通じて第２装置に接続する過程と、第１装置により通信サービスイベントを前記第２装置に送信する過程と、及び第２装置により第１装置から前記通信サービスイベントを受信する過程と、及び第２装置により前記第１装置の通信サービスを制御するために受信された通信サービスイベントを出力する過程と、を含む通信サービス管理システムの操作方法が提供する。
【０００８】
前記目的を達成するための本発明は、第１装置が無線アクセスポイントを通じて第２装置に直接接続される過程と、前記第１装置で発生する通信サービス関連イベントを前記第２装置に伝達する伝達過程、又は前記第１装置が前記第２装置からメッセージ送信のためのデータとデータ送信制御のための制御イベント及び前記第１装置の機能制御のための機能制御イベントのうちで少なくとも１つを受信する受信過程と、前記第１装置が前記データ及び制御イベントによりメッセージを作成して送信したり前記機能制御イベントによる機能を行う遂行過程、又は前記第２装置が前記第１装置から前記通信サービス関連イベント受信を通知する通知過程と、を含むことを特徴とする通信サービス管理システムの操作方法の構成を開示する。
【０００９】
本発明は、また、通信サービス機能をサポートする第１装置と、前記第１装置と通信接続されて前記第１装置で発生する通信サービス関連イベントが伝達されて出力する第２装置と、前記第１装置及び第２装置の間に配置されて第１装置及び第２装置が直接接続されるようにサポートする無線アクセスポイントと、を含むことを特徴とする通信サービス管理システムの構成を開示する。
【００１０】
前述したように本発明の通信サービス管理システム及びその操作方法によれば、本発明は第１装置で発生する特定イベントを第２装置で直接的に確認して管理するようにサポートする。
【００１１】
これにより本発明は、第１装置で発生する通信イベント、第１装置の状態イベントなどを通じて第１装置を通じる通信機能の処理をより迅速でかつ適切な時点に行うようにサポートする。
【００１２】
また、本発明は第１装置の通信イベント処理のためのデータ及び第１装置の特定ユーザ機能制御のための機能制御イベントを第２装置で提供することによって、より早い第１装置制御及び機能遂行をサポートすることができる。
【発明の効果】
【００１３】
ユーザは多様な情報を迅速でかつ容易に第1装置の多様な情報を得ることができ、前記情報を処理することができる。
【図面の簡単な説明】
【００１４】
【図１】本発明の実施形態による通信サービス管理システムの構成を概略的に示す図面である。
【図２】図１の第１装置構成をより詳しく示す図面である。
【図３】図２の第１装置で制御部構成をより詳しく示す図面である。
【図４】図１の第２装置構成をより詳しく示す図面である。
【図５】図４の第２装置で制御部構成をより詳しく示す図面である。
【図６】本発明の実施形態による通信サービス管理機能のうちで通話接続リクエスト受信によるシステム操作方法を説明するための図面である。
【図７】本発明の実施形態による通信サービス管理機能のうちで通話接続リクエスト受信処理により提供される画面インターフェースの一例を示す図面である。
【図８Ａ】本発明の第２装置の表示部に表示される画面インターフェースの一例を示す図面である。
【図８Ｂ】本発明の第２装置の表示部に表示される画面インターフェースの一例を示す図面である。
【図８Ｃ】本発明の第２装置の表示部に表示される画面インターフェースの一例を示す図面である。
【図８Ｄ】本発明の第２装置の表示部に表示される画面インターフェースの一例を示す図面である。
【図８Ｅ】本発明の第２装置の表示部に表示される画面インターフェースの一例を示す図面である。
【図８Ｆ】本発明の第２装置の表示部に表示される画面インターフェースの一例を示す図面である。
【図９】本発明の実施形態による通信サービス管理機能のうちでメッセージ受信によるデータ及び制御イベント処理をためのシステム操作方法を説明するための図面である。
【図１０】図９のシステム操作過程で提供されることができる画面インターフェースの一例を示す図面である。
【図１１】本発明の実施形態による通信サービス管理機能のうちでデータ及び制御イベント処理のためのシステム操作方法を説明するための図面である。
【図１２】図１１のシステム操作過程で提供されることができる画面インターフェースの一例を示す図面である。
【図１３】本発明の実施形態による通信サービス管理機能のうちで通話ログ機能制御イベント処理のためのシステム操作方法を説明するための図面である。
【図１４】図１３のシステム操作過程で提供されることができる画面インターフェースの一例を示す図面である。
【図１５】本発明の実施形態による通信サービス管理機能のうちで検索機能制御イベント処理のためのシステム操作方法を説明するための図面である。
【図１６】図１５のシステム操作過程で提供されることができる画面インターフェースの一例を示す図面である。
【図１７】本発明の実施形態による通信サービス管理機能のうちでフォンブックデータ機能制御イベント処理のためのシステム操作方法を説明するための図面である。
【図１８】図１７のシステム操作過程で提供されることができる画面インターフェースの一例を示す図面である。
【図１９Ａ】本発明のトレーアイコンの一形態を説明するための図面である。
【図１９Ｂ】本発明のトレーアイコンの一形態を説明するための図面である。
【発明を実施するための形態】
【００１５】
以下、本発明の実施形態を添付された図面に基づいて詳しく説明する。
【００１６】
実施形態を説明するに当り、本発明が属する技術分野によく知られており、本発明と直接的に関連がない技術内容に対しては説明を省略する。また、実質的に同じ構成と機能を有する構成要素に対しては詳細な説明を省略する。
【００１７】
同じの理由で添付図面において一部構成要素は誇張されたり省略されたり、或いは概略的に図示し、各構成要素の大きさは実際大きさを全的に反映するのではない。
【００１８】
従って、本発明は添付した図面に示された相対的な大きさや間隔によって制限されない。
【００１９】
本明細書において、端末(ｔｅｒｍｉｎａｌ)は、ある外部客体(ｅｎｔｉｔｙ)からデータを受信したり外部客体にデータを送信することができる多様な種類の装置であることができる。
【００２０】
端末は予め指定されたりマッピングされた多様な機能及び記憶されたデータを画面にアイコン又はメニューから表示することができる。端末はコンピューター、ノートブック、タブレットＰＣ、モバイル装置或いはこれらと類似のものなどを含むことができる。
【００２１】
本明細書において、画面(ｓｃｒｅｅｎ)はユーザの指、スタイラス、又はユーザから外部装置へユーザ選択を送信することができる多様な技術の触覚を用いた入力の処理及び受信ができるようにする画面であることができる。
【００２２】
本明細書において、アイコンはユーザが特定機能やデータを容易に選択するために画面上に表示されるフィギュア(ｆｉｇｕｒｅ)又はシンボルなどのグラフィック的な要素を示す。そして、アイコンは装置内に記憶されたデータ又は実行可能な機能とマッピングされて機能を処理したりデータを選択することで利用されることができる。
【００２３】
ユーザが表示されるアイコンのうちで１つを選択すれば装置は、前記選択されたアイコンに対応される特定機能やデータを確認することができる。その後、装置は確認された機能又は表示されたデータの表示を行うことができる。
【００２４】
本明細書において、データは装置により処理されることができる多様な種類の情報を意味することができる。前記データは外部装置から受信される多様なテキスト、イメージなどを含むことができる。
【００２５】
図１は、本発明の実施形態による通信サービス管理システムの構成を概略的に示す図面であるである。
【００２６】
図１を参照すれば、本発明の実施形態による通信サービス管理システム１０は、第１装置１００及び第２装置２００と、第１装置１００及び第２装置２００を接続する無線アクセスポイント３００、無線アクセスポイント３００制御のためにコアネットワーク４００を含んで構成されることができる。アクセスポイント３００を通じて装置１００，２００が直接的に接続されることができる。他の例をあげれば、アクセスポイント３００は無線アクセスポイントであることができ、装置１００、２００は無線に通信することができる。しかし、装置１００、２００とアクセスポイント３００の間の通信は有線又は無線に多様に構成されることができる。
【００２７】
このような構成を有する本発明の通信サービス管理システム１０は、第１装置１００が無線アクセスポイント３００を通じて第２装置２００と通信チャンネルを形成し、第１装置１００で発生する特定イベントを第２装置２００に送信するようにサポートする。特に前記通信サービス管理システム１０は、第１装置１００で発生する音声通話、画像通話、テキストメッセージ受信、インスタントメッセージ受信などによる特定イベントを第２装置２００で確認及び処理するようにサポートする。また、前記通信サービス管理システム１０は、第１装置１００が提供する機能を第２装置２００で確認及び制御するように多様なイベントを第１装置１００に送信するようにサポートし、第１装置１００は第２装置２００から受信された機能制御イベントによる機能遂行及びそれによる結果を第２装置２００に提供することができる。この時、第２装置２００は第１装置１００が提供する通信サービス関連イベントや状態関連イベント及びデータを記憶せずリアルタイムに出力したり処理するようにサポートする。特に第２装置２００は第１装置１００のイベント発生に対する通知をトレーアイコンで提供することによって、第２装置２００を用いた作業環境に何の邪魔無しに最小限の通知が可能になるようにサポートすることができる。
【００２８】
これのために前記無線アクセスポイント３００は、第１装置１００及び第２装置２００の間に通信チャンネルを形成する構成である。特に無線アクセスポイント３００は、第１装置１００及び第２装置２００の間で本発明のイベント伝達と受信及びイベント処理のためのデータの伝達と受信をサポートすることができる。このような無線アクセスポイント３００は第１装置１００及び第２装置２００の装置特性による通信方式をサポートすることができる多様な通信装置を含んで構成されることができる。例えば、前記無線アクセスポイント３００は第１装置１００及び第２装置２００が接続可能なＷｉ−Ｆｉ（登録商標）通信モジュールに基づくチャンネル形成をサポートする構成になることができる。前記無線アクセスポイント３００はコアネットワーク４００と接続され、第１装置１００及び第２装置２００のリンク接続のためにコアネットワーク４００の制御を受けることができる。又は、無線アクセスポイント３００はマイクロプロセッサーを搭載して設けることができ、これにより第１装置１００及び第２装置２００の間の通信チャンネル形成履歴を記憶し、これを基づいて第１装置１００及び第２装置２００の間の通信チャンネル形成をサポートすることができる。これにより無線アクセスポイント３００は第２装置２００のリクエストに従い、現在自分と通信チャンネルを形成した少なくとも１つの第１装置１００の識別情報を第２装置２００に提供することができる。以後、第２装置２００が第１装置１００と通信チャンネルを形成するための特定認証情報を入力する場合、第１装置１００と第２装置２００の間の通信チャンネルを形成するようにサポートすることができる。このような制御は、前述したようにコアネットワーク４００の制御により行われることができ、この場合、無線アクセスポイントは当該制御のための信号をコアネットワーク４００に伝達する役目を行うことができる。前記コアネットワーク４００は無線アクセスポイント３００の制御のための構成である。
【００２９】
このようなコアネットワーク４００は、無線アクセスポイント３００を通じて接続される第１装置１００及び第２装置２００の通信チャンネル形成と、各機器の固有情報管理、接続履歴管理などをサポートすることができる。またコアネットワーク４００は、第１装置１００及び第２装置２００の特定サーバー接続、ファイル受信及び送信などをサポートすることができる。特にコアネットワーク４００は、無線アクセスポイント３００が第１装置１００及び第２装置２００の間の通信チャンネルサポートのための情報提供を行うことができる。即ち、コアネットワーク４００は、無線アクセスポイント３００に接続された少なくとも１つの第１装置１００の固有情報を確認し、これをリストで管理することができ、第２装置２００のリクエストに従って当該リストを第２装置２００に提供することができる。そして、コアネットワーク４００は第１装置１００及び第２装置２００の接続解除により無線資源を再分配したり管理する機能を行うことができる。
【００３０】
第１装置１００は、通信サービス機能をサポートする構成である。例えば、第１装置１００は基地局などを通じて移動通信機能をサポートすることができる。これのために第１装置１００は通信サービス機能サポートのための通信モジュールを含み、他の装置の通話接続リクエスト受信、他の装置が送信したテキストメッセージやインスタントメッセージ受信、他の装置が送信したファイル受信などの機能遂行によるイベントを生成する。第１装置１００は、前記イベントを第２装置２００に送信するために前記無線アクセスポイント３００を通じて第２装置２００と通信チャンネルを形成することができる。そして、第１装置１００は第２装置２００の制御により多様な情報、例えばフォンブック情報や通話ログ、又は特定ファイルなどの記憶部に記憶された特定情報の検索を行うことができ、検索された情報を第２装置２００に伝達することができる。このような第１装置１００は移動通信機能を有する携帯端末機などになることができる。前記第１装置１００のより詳細な構成及び各構成の役目に対しては後述する図２を参照してより詳しく説明する。
【００３１】
第２装置２００は、無線アクセスポイント３００を通じて第１装置１００と通信チャンネルを形成し、第１装置１００が提供するイベントを出力装置、例えば表示部やオーディオ処理部などを通じて出力する構成である。さらに、第２装置２００は第１装置１００のイベント発生に対する処理のためにデータを生成し、これを第１装置１００に伝達することができる。追加に第２装置２００は第１装置１００に多様なイベントを提供して第１装置１００の特定機能を行うように制御し、当該機能遂行によるデータを受信して出力することができる。この時、第２装置２００は第１装置１００との持続的な接続関係の維持及びイベント受信と通知のために第１装置１００と連続的な通信チャンネルを維持し、当該通信チャンネル維持及び通信チャンネルを通じるイベント受信通知などをサポートするためにトレーアイコンを画面の一側に一定サイズで提供することができる。このような第２装置２００は、ＰＣ(Ｐｅｒｓｏｎｎｅｌ Ｃｏｍｐｕｔｅｒ)、ノートブック、ラップトップコンピューター、タブレットＰＣ、スレートＰＣ、移動型大画面端末機などの多様な端末機になることができる。前記第２装置２００の詳細構成に対して図４を参照してより詳しく説明する。
【００３２】
上述したように、本発明の実施形態による通信サービス管理システム１０は、通信サービス機能、特に通話やテキストメッセージ受信機能をサポートする第１装置１００のイベント管理と処理を第２装置２００を通じて行うことによって、第２装置２００を用いて特定業務や課題を行う過程でも第１装置１００で発生するイベントを確認及び処理するようにサポートすることができる。特に本発明の通信サービス管理システム１０は、第２装置２００で出力される第１装置１００に係るイベントの通知やデータを一定サイズ以下で制限したり、トレーアイコンに定義された方式で提供することによってユーザの集中分散を最小化しながら第１装置１００関連情報管理を行うようにサポートすることができる。
【００３３】
図２は、本発明の実施形態による第１装置１００の構成をより詳しく示す図面である。
【００３４】
図２を参照すれば、本発明の第１装置１００は、第１無線通信部１１０、第１入力部１２０、第１オーディオ処理部１３０、第１表示部１４０、第１記憶部１５０、第１制御部１６０、第１Ｗｉ−Ｆｉ（登録商標）通信モジュール１７０の構成を含むことができる。
【００３５】
このような構成を有する本発明の第１装置１００は、第１無線通信部１１０を通じて通信サービスに係るイベントを受信し、当該イベントを第２装置２００に伝達することができる。この時、第１装置１００は通信サービス関連イベント伝達のために第１Ｗｉ−Ｆｉ（登録商標）通信モジュール１７０を通じて第２装置２００と通信チャンネルを形成する。ここで第１装置１００は第１Ｗｉ−Ｆｉ（登録商標）通信モジュール１７０を通じて第２装置２００から通信サービス関連イベント処理のためのデータを受信することができ、さらに、第１装置１００がサポート可能なユーザ機能制御のためのイベントを受信することができる。前記第１装置１００は、通信サービス関連イベント処理のためのデータ及び機能制御のためのイベントを受信すると、当該データ及びイベントによる機能遂行をサポートし、それによる結果を第２装置２００に伝達することができる。
【００３６】
これのために第１無線通信部１１０は、第１装置１００の通信サービス機能をサポートするためのチャンネル形成をサポートする。例えば、第１無線通信部１１０は、移動通信サービスサポートのために設けた無線基地局と通信チャンネルを形成することができる。そして第１無線通信部１１０は、前記基地局を通じて他の装置から音声通話や画像通話接続リクエストメッセージ、テキストメッセージ、インスタントメッセージなどを受信することができ、他の装置が第１装置１００に伝達しようとする特定ファイルを受信することができる。このような第１無線通信部１１０は通信サービス機能サポートをために移動通信モジュールの形態に設けることができ、２Ｇ、３Ｇ、４Ｇなどの各世代別の通信方式サポートのための多様な通信モジュール、ＴＤＭＡ、ＣＤＭＡ、ＷＣＤＭＡ（登録商標）、ＦＤＭＡ、ＯＦＤＭＡなどの通信方式サポートを通信モジュール、有無線ネットワークに基づく通信モジュールなどの特定通信技術や方式に限定されず他の装置から通信サービス関連イベント受信のための通信モジュールで構成されることができる。一方、第１無線通信部１１０は、第２装置２００が作成して伝達した受信拒否メッセージ、通話接続リクエストメッセージに対して作成したメッセージ、テキストやインスタントメッセージなどを第１制御部１６０の制御に従い他の装置に送信することができる。
【００３７】
第１入力部１２０は、第１装置１００操作のための多様な入力信号を生成する構成である。このような第１入力部１２０は、ボタンキーや、サイドキー、ホームキーなど特定キー形態に形成されることは勿論、フルタッチスクリーンサポートのためにタッチキーパッドで提供されることもできる。ここで仮想タッチキーパッドは第１表示部１４０上に表示されてユーザタッチによる入力信号を生成するようにサポートする構成になることができる。前記第１入力部１２０は、無線アクセスポイント３００の接続のための入力信号、無線アクセスポイント３００の接続解除のための入力信号、本発明の通信サービス管理のための通信サービス管理アプリを活性化するための入力信号及び通信サービス管理アプリを非活性化するための入力信号などをユーザ制御により生成することができる。ここで通信サービス管理アプリを活性化する場合、第１装置１００は周辺検索を通じて無線アクセスポイント３００の接続を自動で制御することもできる。生成された入力信号は第１制御部１６０に伝達されて当該入力信号に対応する機能サポートのためのコマンドに用いられることができる。
【００３８】
第１オーディオ処理部１３０は、第１装置１００に係る多様なオーディオ信号の処理と収集をサポートすることができる。これのために第１オーディオ処理部１３０は、オーディオ信号出力のためのスピーカー(ＳＰＫ)とオーディオ信号収集をためのマイク(ＭＩＣ)を含むことができる。このような第１オーディオ処理部１３０は、無線アクセスポイント３００の接続及び接続解除を示す案内音、通信サービス関連イベント発生時に当該イベント発生による通知音、通信サービス関連イベントを第２装置２００に成功的に送信することを示すための案内音、第２装置２００から通信サービス関連イベント処理のためのデータ受信及び特定ユーザ機能制御のためのイベント受信を通知するための案内音などを出力することができる。上述した案内音などはユーザ設定により出力が制限されることができる。
【００３９】
第１Ｗｉ−Ｆｉ（登録商標）通信モジュール１７０は、第１装置１００の無線アクセスポイント３００の接続をサポートするための通信モジュールである。このような第１Ｗｉ−Ｆｉ（登録商標）通信モジュール１７０は、固有情報を有し、事前認証された無線アクセスポイント３００の接続を行うことができる。第１Ｗｉ−Ｆｉ（登録商標）通信モジュール１７０は、無線アクセスポイント３００と通信チャンネルを形成し、通信サービス関連イベントを無線アクセスポイント３００を通じて第２装置２００に伝達することができる。そして第１Ｗｉ−Ｆｉ（登録商標）通信モジュール１７０は、第２装置２００から通信サービス関連イベントに対応して第２装置２００が作成したデータを受信することができ、また第１装置１００がサポートする特定機能制御のために第２装置２００が伝達した制御イベントを受信することができる。受信されたデータ及び制御イベントは第１制御部１６０に伝達されることができる。
【００４０】
第１表示部１４０は、第１装置１００の操作による多様な画面を出力することができる。前記第１表示部１４０は、タッチ機能サポートのためにタッチパネル及び表示パネルを含む構造で形成されることができる。このような前記第１表示部１４０は無線アクセスポイント３００接続及び接続解除を案内する画面、他の装置から通信サービス関連イベントを受信することを示す画面、通信サービス関連イベントを第２装置２００に伝達する画面を出力することができる。また第１表示部１４０は第２装置２００が伝達した通信サービス関連イベント処理のためのデータ及び制御イベントによる処理を行う画面、第１装置１００がサポート可能な特定ユーザ機能遂行をために第２装置２００が提供した機能制御イベントによる処理を行う画面及び当該処理による結果を第２装置２００に伝達する画面などを出力することができる。例えば、第１表示部１４０は第２装置２００の制御によって通話ログを検索する画面、第２装置２００が提供した検索語に基づいて検索を行った画面、フォンブックに新たに記入する連絡先を第２装置２００から受信し、これを当該フォンブックに適用する画面などを出力することができる。その他の第１表示部１４０は本発明の通信サービス管理のための多様な画面インターフェースを出力することができる。
【００４１】
第１記憶部１５０は、第１装置１００操作に必要な、又は端末機機能サポートのための多様な応用プログラムを記憶することができる。例えば、第１記憶部１５０は第１装置１００の管理のためのＯＳ、通話接続を通話機能サポートプログラム、画像通話サポート時の画像通話サポートのための画像通話機能サポートプログラム、外部サーバー接続のためのサーバー接続サポートプログラムなどをサポートすることができる。特に第１記憶部１５０は本発明の通信サービス管理機能サポートのために第１通信サービス管理プログラム１５１を記憶することができる。
【００４２】
第１通信サービス管理プログラム１５１は、本発明の通信サービス管理機能をサポートするプログラムである。前記第１通信サービス管理プログラム１５１は、第１装置１００のユーザが通信サービス管理機能を活性化する場合、第１制御部１６０にロードされて通信サービス管理機能をサポートする。このような第１通信サービス管理プログラム１５１は、ユーザ制御によって無線アクセスポイント３００の接続を制御するルーチン、第２装置２００の接続リクエスト及び第２装置２００が入力した認証情報に基づいて第２装置２００と通信チャンネルを形成するルーチンを含むことができる。第１通信サービス管理プログラム１５１は通信サービス関連イベント発生時の前記イベントを第２装置２００に送信するルーチン、第２装置２００から通信サービス関連イベント処理のためのデータ及び制御イベントを受信するルーチン、前記データ及び制御イベントによる機能を行うルーチンを含むことができる。そして第１通信サービス管理プログラム１５１は、第２装置２００が伝達する機能制御イベントによる第１装置１００の特定機能を行うルーチン、本発明の通信サービス管理機能解除リクエスト時の無線アクセスポイント３００の接続を解除するルーチンなどを含むことができる。前記第１通信サービス管理プログラム１５１は、上述したルーチンに基づいて本発明の通信サービス管理機能を行うようにサポートする。各通信サービス管理機能に対しては後述する図面を参照してより詳しく説明する。
【００４３】
一方、前記第１記憶部１５０は、フォンブックデータ１５３、通話ログ１５５などの情報をさらに含むことができる。フォンブックデータ１５３は通話接続のための他の装置の電話番号、他の装置のユーザ関連写真、名前、住所、誕生日など多様な情報を含むことができる。このようなフォンブックデータ１５３は、第２装置２００の制御により新しい連絡先情報が追加されたり、既存の連絡先情報が削除されることができる。通話ログ１５５は、第１装置１００の操作により生成される情報として、第２装置２００のリクエストに応じて検索画面形態で提供されることができる。このような通話ログ１５５は、第２装置２００の制御により少なくとも一部が削除されたり、特定通話ログの詳細情報画面出力をサポートすることができる。追加に通話ログ１５５は、第１装置１００が他の装置から受信した通信サービス関連イベントにより更新されることができ、追加にユーザの第１装置１００制御によりログ状態が変更されることができる。特に通話ログ１５５は第２装置２００の通信サービス関連イベント処理によりログ状態が変更されることができる。
【００４４】
第１制御部１６０は、第１装置１００の操作に必要な電源の供給と分配、及び信号伝達と処理をサポートする構成である。特に第１制御部１６０は、本発明の実施形態による通信サービス管理機能サポートのための多様な制御を行うことができる。これのために第１制御部１６０は図３に示されたような構成を含むことができる。
【００４５】
図３は、本発明の実施形態による第１装置の第１制御部１６０構成をより詳しく示す図面である。
【００４６】
図３を参照すれば、本発明の第１制御部１６０は通信サービス関連イベント伝達部１６１、イベント処理データ及び制御イベント処理部１６３、機能制御イベント処理部１６５を含むことができる。
【００４７】
前記通信サービス関連イベント伝達部１６１は、第１装置１００の通信サービス管理機能活性化により活性化され、第１無線通信部１１０が受信する通信サービス関連イベントを第２装置２００に伝達する構成である。これと共に通信サービス関連イベント伝達部１６１は当該イベント受信による画面を第１装置１００に出力するようにサポートすることができる。例えば、他の端末機から通話接続リクエストメッセージを受信すれば、通信サービス関連イベント伝達部１６１は前記通話接続リクエストメッセージに対応する画面を第１表示部１４０に出力するようにサポートする一方、当該メッセージを無線アクセスポイント３００を通じて第２装置２００に送信するようにサポートすることができる。
【００４８】
一方、前記通信サービス関連イベント伝達部１６１は、本発明の通信サービス管理機能が活性化された状態の場合、前記メッセージ受信による画面出力及び案内音出力を遮断するように制御することができる。前記通信サービス関連イベント伝達部１６１は、他の装置からテキストメッセージやインスタントメッセージを受信した場合、当該メッセージを無線アクセスポイント３００を通じて第２装置２００に伝達するようにサポートすることができる。また通信サービス関連イベント伝達部１６１は、他の装置から特定ファイル受信が行われる場合、当該ファイル完了時のファイル受信完了に対するメッセージを第２装置２００に伝達するように制御することができる。この時、通信サービス関連イベント伝達部１６１は、受信完了したファイルを無線アクセスポイント３００を通じて第２装置２００に伝達するようにサポートすることもできる。
【００４９】
イベント処理データ及び制御イベント処理部１６３は、第２装置２００から伝達されるデータ及び制御イベントをサポートするようにサポートする構成である。即ち、通信サービス関連イベント伝達部１６１が通信サービス関連イベントを第２装置２００に伝達した後、第２装置２００が該当通信サービスを処理するために作成したデータ及び制御イベントを伝達すれば、前記イベント処理データ及び制御イベント処理部１６３は、受信されたデータ及び制御イベントに基づいて当該通信機能を処理することができる。
【００５０】
例えば、第２装置２００から通話接続リクエストメッセージに対する特定データ受信及び伝達を指示する制御イベントを受信する場合、イベント処理データ及び制御イベント処理部１６３は通話接続リクエストメッセージ受信に対する応答として第２装置２００から伝達されたデータを含むメッセージに他の装置に送信するように制御することができる。この過程でイベント処理データ及び制御イベント処理部１６３は通話接続リクエストメッセージを事前定義された他の電話番号で転換するように制御したり、通話未受諾状態を維持するように制御することができる。また、イベント処理データ及び制御イベント処理部１６３は、テキストメッセージやインスタントメッセージを第２装置２００に伝達して第２装置２００から当該テキストメッセージやインスタントメッセージを受信した場合、当該メッセージに他の装置にテキストメッセージやインスタントメッセージとして伝達するように制御することができる。
【００５１】
機能制御イベント処理部１６５は、第２装置２００から伝達する機能制御イベントにより第１装置１００の特定端末機能を行うようにサポートする構成である。例えば、機能制御イベント処理部１６５は第２装置２００から通話ログ１５５又はフォンブックデータ１５３の検索のための機能制御イベントを受信した場合、第１記憶部１５０に記憶された通話ログ１５５又はフォンブックデータ１５３を呼び出してフォンブックデータ１５３の出力画面を第２装置２００に伝達するように制御することができる。この過程で機能制御イベント処理部１６５は呼び出された通話ログ１５５又はフォンブックデータ１５３を第１表示部１４０に出力するように制御したりユーザ設定などによって別途の表示を遮断するように制御することができる。
【００５２】
さらに、機能制御イベント処理部１６５は、第２装置２００から新しい連絡先追加のための機能制御イベントを受信すれば、第１記憶部１５０に記憶されたフォンブックデータ１５３に第２装置２００から受信した新しい連絡先を追加するように制御することができる。この時、機能制御イベント処理部１６５は、新しい連絡先が追加過程及び新しい連絡先が追加されたフォンブックデータ１５３を第１表示部１４０に出力することができ、ユーザ設定により別途の情報出力を遮断することができる。ここで機能制御イベント処理部１６５は、フォンブックデータ１５３の更新が完了すれば更新完了に対する案内メッセージを第２装置２００に送信するようにサポートすることができる。その他、機能制御イベント処理部１６５は第１装置１００が提供する機能を活性化するための第２装置２００の機能制御イベントによる機能遂行及び当該機能遂行による結果を第２装置２００に送信するように制御することができる。
【００５３】
追加に機能制御イベント処理部１６５は、第１装置１００の状態情報を第２装置２００に伝達することができる。これをより詳しく説明すれば、第１装置１００で発生するテキスト又はマルチメディアメッセージや電子メール及びインスタントメッセージなどの受信状態情報、バッテリー残量情報、近距離通信モジュールの操作状態情報、位置情報収集センサーの操作状態情報、通信機能関連状態情報、第１装置１００で動作する特定ユーザプログラム、例えば音楽ファイル再生関連情報のうちで少なくとも１つを第２装置２００に提供することができる。
【００５４】
上述したように、本発明の実施形態による第１装置１００は第２装置２００と無線アクセスポイント３００を通じて１:１で直接接続され、通信サービス関連イベントが発生すれば、これを第２装置２００に当該イベントを伝達し、第２装置２００から受信されるデータ及び制御イベント受信による通信サービス管理機能を実行するようにサポートする。これによりユーザは第１装置１００を直接制御せず第２装置２００を通じてサービス関連機能や第１装置１００の特定機能を行うように制御することができる。
【００５５】
一方、図４は本発明の実施形態による第２装置２００の構成をより詳しく示す図面である。
【００５６】
図４を参照すれば、本発明の第２装置２００は第２Ｗｉ−Ｆｉ（登録商標）通信モジュール２７０、第２入力部２２０、第２オーディオ処理部２３０、第２表示部２４０、第２記憶部２５０及び第２制御部２６０構成を含むことができる。
【００５７】
このような構成を有する本発明の第２装置２００は、第２端末Ｗｉ−Ｆｉ（登録商標）通信モジュール２７０を用いて無線アクセスポイント３００を通じて第１装置１００と通信チャンネルを形成することができる。そして第２装置２００は第２Ｗｉ−Ｆｉ（登録商標）通信モジュール２７０を通じて第１装置１００から通信サービス関連イベントを受信し、当該通信サービス関連イベント処理のためのデータ及び制御イベントを第１装置１００に伝達することができる。また、第２装置２００は第２Ｗｉ−Ｆｉ（登録商標）通信モジュール２７０を通じて第１装置１００がサポートする特定端末機機能制御のための機能制御イベントを伝達し、当該機能制御イベントによる結果を受信して出力することができる。特に第２装置２００は第１装置１００が伝達するイベント及び結果データなどをトレーアイコンに出力することができる。この過程で第２装置２００はトレーアイコンの規格に合うようにイベント及び結果データを調整し、調整されたテキスト、アイコン、イメージ等を出力することができる。
【００５８】
上述したように第２Ｗｉ−Ｆｉ（登録商標）通信モジュール２７０は、無線アクセスポイント３００と通信チャンネルを形成し、最終的に第１装置１００の第１Ｗｉ−Ｆｉ（登録商標）通信モジュール１７０と１：１通信チャンネルを形成するようにサポートすることができる。このような第２Ｗｉ−Ｆｉ（登録商標）通信モジュール２７０は本発明の通信サービス管理機能活性化のために設ける特定メニュー項目活性化時の自動で活性化されて周辺検索を通じて無線アクセスポイント３００を検索することができる。そして第２Ｗｉ−Ｆｉ（登録商標）通信モジュール２７０は、無線アクセスポイント３００から当該無線アクセスポイント３００に接続された少なくても１つの第１装置１００のリストを受信することができる。以後、第２Ｗｉ−Ｆｉ（登録商標）通信モジュール２７０は、特定第１装置１００との通信接続のための認証情報を送信して認証確認により第１装置１００と通信チャンネルを形成することができる。
【００５９】
第２入力部２２０は、第２装置２００操作のための多様な入力信号を生成する構成である。このような第２入力部２２０は、キーボード、マウス、タッチパッド、音声入力機など多様な入力手段を含み、ボタンキーや、タッチキーなどの入力手段を含むこともできる。また、第２入力部２２０は仮想のタッチマップの又は仮想のタッチキーパッド又は仮想のキーパッド形態で構成されることができ、この場合、タッチマップはタッチ機能をサポートする第２表示部２４０に出力されて入力機能をサポートすることができる。このような第２入力部２２０は第２装置２００を通じて行われる多様な業務や作業などをサポートするために多様な形態の入力手段で変形されることができる。特に、第２入力部２２０は第１装置１００から通信サービス関連イベントを受信すれば、当該通信サービス関連イベント処理のためのデータに該当する入力信号、入力されたデータを第１装置１００に基づいて処理するように制御する制御イベントに該当する入力信号などを生成することができる。追加に第２入力部２２０は第１装置１００がサポートする端末機の機能制御のための機能制御イベントに該当する入力信号を生成することができる。第２入力部２２０が生成した入力信号は第２制御部２６０に伝達して本発明の通信サービス管理機能サポートのためのコマンドに用いられることができる。
【００６０】
第２オーディオ処理部２３０は、第２装置２００操作で発生するオーディオ信号を出力したり、第２装置２００機能サポートするか否かによってオーディオ信号を収集をサポートすることができる。このような第２オーディオ処理部２３０は、第１装置１００の通信サービス管理機能に係る多様なオーディオ信号及び案内音を出力することができる。例えば、第２オーディオ処理部２３０は第２装置２００の無線アクセスポイント３００の接続を案内する案内音、第１装置１００との通信接続完了を案内する案内音、通信サービス関連イベント受信を案内する案内音、当該イベント処理のためのデータ及び制御イベント送信を案内する案内音、機能制御イベント送信を案内する案内音、通信管理サービス管理機能終了を案内する案内音などを各機能遂行時に出力することができる。上述した案内音出力機能は、ユーザ設定及び設計者の設計意図によって省略されたり遂行されないことがある。
【００６１】
第２表示部２４０は第２装置２００操作過程で生成される多様な画面を出力する。例えば、第２表示部２４０は本発明の通信サービス管理機能操作による画面及び第２装置２００に基づく多様な業務や作業画面などを出力することができる。特に第２表示部２４０は本発明の通信サービス管理機能操作のためのトレーアイコンを画面の一側に出力することができる。前記トレーアイコンは第１装置１００と通信サービス管理機能遂行により活性化されて第２表示部２４０の一側、例えば、右下側角領域に一定サイズをもって出力されることができる。前記トレーアイコンは本発明の通信サービス管理機能による多様な情報をテキストやイメージなどで提供することができる。第２表示部２４０を通じる多様な画面インターフェースに対しては後述する図面を参照してより詳しく説明する。
【００６２】
第２記憶部２５０は、第２装置２００操作に必要なＯＳ、第２装置２００がサポートする多様な端末機機能に係る応用プログラムを記憶することができる。例えば、第２記憶部２５０はテキスト編集プログラム、イメージ編集プログラム、動画再生プログラム、動画編集プログラムなどを記憶することができる。特に第２記憶部２５０は本発明の通信サービス管理機能サポートのための第２通信サービス管理プログラム２５１を記憶することができる。
【００６３】
第２通信サービス管理プログラム２５１は、第２装置２００の通信サービス管理機能サポートのためのプログラムとして、通信サービス管理機能活性化のための入力イベントが発生すれば第２制御部２６０にロードされて前記通信サービス管理機能操作に必要な多様な機能をサポートすることができる。例えば、第２通信サービス管理プログラム２５１は、無線アクセスポイント３００接続のためのルーチン、指定された又は認証情報入力を通じる特定第１装置１００と通信接続を処理するルーチンを含むことができる。また、第２通信サービス管理プログラム２５１は本発明の通信サービス管理機能サポートのためのトレーアイコン出力ルーチン、トレーアイコンを通じて第１装置１００の通信サービス関連イベント出力を処理するルーチン、第１装置１００が送信したイベント処理のために特定データ及び制御イベントを第１装置１００に提供するルーチンを含むことができる。そして第２通信サービス管理プログラム２５１は、第２入力部２２０から入力される入力信号に該当する機能制御イベントを第１装置１００に提供して当該機能を行うようにリクエストするルーチン、機能遂行による結果を受信して出力するルーチンを含むことができる。
【００６４】
第２制御部２６０は、本発明の第２装置２００操作に必要な電源の供給と分配、本発明の通信サービス管理機能遂行のための信号の伝達と処理などをサポートする構成である。このような第２制御部２６０は、前記通信サービス管理機能サポートのために図５に示したような構成を含むことができる。
【００６５】
図５は、本発明の第２装置２００の第２制御部２６０構成をより詳しく示す図面である。
【００６６】
図５を参照すれば、本発明の第２制御部２６０はトレーアイコン管理部２６１、データ及び制御イベント操作部２６３、機能関連イベント操作部２６５を含むことができる。
【００６７】
前記トレーアイコン管理部２６１は、第１装置１００との通信サービス管理機能を行う場合、第２装置２００の第２端末表示部２４０の一側にトレーアイコンを出力するように制御する。そしてトレーアイコン管理部２６１はトレーアイコン上に第１装置１００に係る多様な情報出力をサポートすることによって第２装置２００を操作しながら第１装置１００に係る多様な情報を容易に確認するようにサポートすることができる。例えば、トレーアイコン管理部２６１は第１装置１００が送信する通信サービス関連イベントに係る通知メッセージや通知イメージを出力することによって第１装置１００が通信サービス関連イベントが発生したことを通知することができる。この時、トレーアイコンは、第２端末表示部２４０の画面の一側に事前定義された一定サイズに限定されて出力されることによって、ユーザが特定作業を行う過程で第１装置１００で発生するイベントによる業務分散が発生しないようにサポートすることができる。また、トレーアイコン管理部２６１は第１装置１００に伝達するデータ及び制御イベントの内容のうちで少なくとも一部をトレーアイコンを通じてテキストや特定イメージに出力することができ、特定機能制御イベントの内容のうちの少なくとも一部もトレーアイコンを通じて出力することができる。そしてトレーアイコン操作部２６１は機能制御イベント送信による結果を受信してこれをトレーアイコンを通じて出力することもできる。ユーザはトレーアイコン管理部２６１が管理するトレーアイコンを通じて第１装置１００の状態を確認することができ、トレーアイコンに表示された特定アイコンや機能項目を選択することによって通信サービス管理機能、例えばメッセージ作成画面を呼び出したり受信拒否メッセージ伝達を行うことができる。
【００６８】
一方、前記トレーアイコン操作部２６１は、第１装置１００が伝達する状態情報を事前定義された一定形態のアイコンやテキストなどの形態に出力することができる。例えば、トレーアイコン操作部２６１は、第１装置１００のテキスト又はマルチメディアメッセージや電子メール及びインスタントメッセージなどの受信状態情報、バッテリー残量情報、近距離通信モジュールの操作状態情報、位置情報収集センサーの操作状態情報、通信機能関連状態情報、第１装置１００で動作する特定ユーザプログラム、例えば音楽ファイル再生関連情報のうちで少なくとも１つをトレーアイコンに出力するようにサポートすることができる。このような機能サポートを通じてトレーアイコン操作部２６１は第１装置１００の電源消耗による突然の端末機終了などを事前防止するように情報を提供することができ、充填などの動作制御を誘導することができる。
【００６９】
データ及び制御イベント操作部２６３は、第１装置１００から通信サービス関連イベントを受信すれば、当該通信サービス関連イベント処理のためのデータ入力及び制御イベント入力をサポートすることができる。特に、データ及び制御イベント操作部２６３は、トレーアイコン上に出力された通信サービス関連イベント通知メッセージを選択する場合、当該イベント処理のための項目を含むメニュー画面又は当該イベント処理のための文書作成機を自動で活性化して出力するように制御することができる。そして、データ及び制御イベント操作部２６３は作成完了したデータ及び当該データ送信をリクエストする制御イベント発生時、これを第１装置１００に伝達することができる。すると、第１装置１００は第２装置２００のデータ及び制御イベント操作部２６３が伝達するデータ及び制御イベントによってメッセージを作成してこれに他の装置に送信するようにサポートすることができる。又は第１装置１００は伝達したデータ及び制御イベントにより他の装置の通話接続リクエストに対する受信拒否を行うように制御することもできる。
【００７０】
機能関連イベント操作部２６５は、第１装置１００と通信接続された状態で通信サービス管理機能操作によって第１装置１００の特定端末機機能を行うための機能制御イベントを生成してこれを伝達する機能を遂行する。これのために機能関連イベント操作部２６５がユーザのリクエストに従って第１装置１００で操作可能な端末機機能をリストで提供することができ、当該リストのうちで選択された第１装置１００機能制御のための多様な機能制御イベントを生成することができる編集機を出力するようにサポートすることができる。ユーザは上述した編集機を用いて第１装置１００で操作可能な特定機能制御に用いられる機能制御イベントを生成するように第２装置２００を操作することができる。
【００７１】
上述したように本発明の実施形態による第２装置２００は、第１装置１００に係る別途のデータ記憶無しに第１装置１００関連機能活性化に対する通知をイベントとして受信し、これを出力することによって第１装置１００の管理のための情報をユーザに提供することができる。この時、第２装置２００は第１装置１００関連データ、例えば、通話ログやフォンブックデータ、その他の多様なファイルなどを直接記憶しないから不必要なメモリー割り当てを除去することができるのでメモリー操作をより効率的にサポートすることができる。ここで第２装置２００が第１装置１００の機能を行う形式は、ＨＴＴＰ基盤のｒｅｓｐｏｎｓｅ／ｒｅｑｕｅｓｔ方式に応じて操作されることができ、本発明の通信サービス管理機能サポートのために新しくＡＰＩが定義されることができる。定義された各ＡＰＩは第１装置１００及び第２装置２００で通信サービス管理プログラムに含まれて記憶され、本発明の通信サービス管理機能活性化により上述した各機能サポートのために用いられることができる。
【００７２】
以上では本発明の実施形態による通信サービス管理機能サポートのためのシステム及びシステムの各構成に対して説明した。以下では本発明の通信サービス管理機能サポートのためのシステム操作方法に対して図面を参照してより詳しく説明する 。
【００７３】
先ず、図６は本発明の実施形態による通信サービス管理機能のうちで通話接続リクエストによる通信サービス管理機能を説明するための信号流れ図である。
【００７４】
図６を参照すれば、本発明の通話接続リクエストによる通信サービス管理機能サポートのためのシステム操作方法は、先ず６０１段階及び６０２段階で第１装置１００及び第２装置２００はそれぞれの待機状態を維持したり、それぞれのユーザ制御による固有のユーザ機能を行うようにサポートする。例えば、第１装置１００はファイル再生機能を行うことができ、第２装置２００は文書作成機を活性化して入力信号による文書作成をサポートすることができる。
【００７５】
次いで、６０３段階及び６０４段階で第１装置１００及び第２装置２００はそれぞれの第１通信サービス管理プログラム１５１活性化及び第２通信サービス管理プログラム２５１の活性化をユーザ制御によって行うことができる。実質的で第１装置１００及び第２装置２００で前記プログラムを活性化する時点は同一ではなくても関係ない。一方、第１通信サービス管理プログラム１５１の活性化及び第２通信サービス管理プログラム２５１の活性化により第１装置１００及び第２装置２００はそれぞれの無線アクセスポイント３００に接続を行うことができる。
【００７６】
第１装置１００は無線アクセスポイント３００に接続を行った場合、第２装置２００との通信接続のために６０５段階で認証情報を第１表示部１４０に出力するようにサポートすることができる。前記認証情報は第２装置２００が第１装置１００と通信接続のために要求される情報になることができる。一方、第２装置２００は無線エックセスポイント３００の接続が完了すれば６０６段階で第１装置１００との接続のために連動する装置、即ち、第１装置１００検索を行うことができる。
【００７７】
第１装置１００は、認証情報表示と共に６０７段階で通信サービス管理機能操作のための待機状態を行うことができ、第２装置２００は６０８段階で第１装置１００検索によって第１装置１００と通信接続を行うことができる。以後、第２装置２００は６１０段階で通信サービス管理機能操作のための待機状態を行うことができる。この段階で第２装置２００は通信サービス管理機能は待機状態を維持するが他の機能、例えば、以前に行われた文書作成機能は維持するようにサポートすることができる。
【００７８】
通信サービス管理機能操作により待機状態の第１装置１００は６０９段階で通話接続リクエストメッセージを受信することができる。すると、第１装置１００は６１１段階で受信された通話接続リクエストメッセージを無線アクセスポイント３００を経て通信サービス管理機能と関連して待機中の第２装置２００に送信することができる。すると、第２装置２００は６１２段階で通話接続リクエストメッセージ受信による通知を提供することができる。この時、第２装置２００はトレーアイコンを通じて当該通話接続リクエストメッセージ受信に該当するテキストやメッセージを第２表示部２４０のうちの少なくとも１ヶ所に出力することができる。
【００７９】
以後、第２装置２００は６１４段階で受信された通話接続リクエストメッセージ受信によるデータ作成及び制御イベント生成を行うことができる。ここでデータ作成及び制御イベント生成は通話接続リクエストメッセージ受信による受信拒否又は特定メッセージ返事作成によるデータ及び当該データ送信のための制御イベントを含むことができる。以後、第２装置２００は６１６段階でデータ及び制御イベントを第１装置１００に送信することができる。
【００８０】
第１装置１００は、通話接続リクエストメッセージを第２装置２００に伝達した以後、６１３段階で通信サービス管理機能に係る待機状態を維持することができる。一方、第１装置１００は第２装置２００からデータ及び制御イベントを受信すれば６１５段階で当該データ及び制御イベントによるメッセージに他の装置に送信するように制御することができる。例えば、第１装置１００は受信拒否メッセージ又は第２装置２００が作成して送信したメッセージを他の装置に送信することができる。以後、第１装置１００は６０９段階以前に分岐して以下過程を通信サービス管理機能終了のための入力信号発生以前まで再遂行するようにサポートすることができる。
【００８１】
一方、図７は上述した通信サービス管理機能サポートのための画面インターフェースの一例を示す図面である。
【００８２】
図７を参照すれば、第１装置１００は、通信サービス管理機能操作によって通信サービス関連イベント発生以前まで７０１画面のように待機状態を維持することができる。以後、通信サービス関連イベント、例えば、通話接続リクエストメッセージを受信する場合、第１装置１００は７０３画面のように通話接続リクエストメッセージ受信を案内する画面を出力することができる。
【００８３】
一方、第１装置１００が通話接続リクエストメッセージを第２装置２００に送信すれば、第２装置２００は７０５画面のように第１装置１００から受信した通話接続リクエストメッセージに対する案内画面を出力することができる。ここで第２装置２００は通信サービス管理機能サポートのためにトレーアイコン４０を図８Ａ〜図８Ｆに示されたように画面一側に出力することができる。
【００８４】
図８Ａ〜図８Ｆを参照すれば、トレーアイコン４０は第２端末表示部２４０の領域のデフォルト領域若しくは予め決めた一部領域に出力されることができる。前記領域はユーザ設定やユーザ選択により再構成されることができる。このようなトレーアイコン４０は、図８Ａの８０１画面のように通信サービス関連イベント発生を案内するイベント出力領域４１、データ及び制御イベントサポート領域４２、第１装置１００の状態情報を出力する状態情報出力領域４３、機能制御イベントサポートのための機能制御イベント領域４４のうちの少なくとも１つの領域を含むことができる。
【００８５】
特に、トレーアイコン４０は図８Ｂの８０３画面のように第２表示部２４０の画面一側のタスクバー２４１上にトレー基本アイコン４９で出力されることができる。そしてユーザがトレー基本アイコン４９を選択する場合、図８Ａの８０１画面に示された特定領域のうちの少なくとも１つを含む拡張型アイコンに変化されることができる。またトレー基本アイコン４９形状でタスクバー２４１に提供された状態で第１装置１００から伝達するイベントによって特定領域を含む拡張型アイコンに変化されることができる。
【００８６】
例えば、第１装置１００で通信サービス関連イベントが発生して第２装置２００がこれを受信すれば、図８Ｃの８０５画面のようにトレーアイコン４０はイベント出力領域４１を含む第１トレー拡張型アイコン８１に変換されることができる。また、トレーアイコン４０は第２装置２００ユーザが当該通信サービス関連イベント処理のための項目を選択する場合、図８Ｄの８０７画面のようにデータ及び制御イベントサポート領域４２を含む第２トレー拡張型アイコン８２に変換されることができる。ここでデータ及び制御イベントサポート領域４２は他の装置に送信するメッセージを作成することができるメッセージ作成画面になることができる。ユーザはデータ及び制御イベントサポート領域４２を通じて他の装置に伝達するメッセージを作成したり通話接続リクエストメッセージに対する受信拒否メッセージ送信を制御することができる。
【００８７】
一方、トレーアイコン４０は、第１装置１００から端末機の状態情報を受信する場合、図８Ｅの８０９画面のように状態情報を一定形態のテキストやイメージで表示することができる状態情報出力領域４３を含む第３トレー拡張型アイコン８３に変化されることができる。ここで第３トレー拡張型アイコン８３はテキスト又はマルチメディアメッセージや電子メール及びインスタントメッセージなどの受信状態情報、バッテリー残量情報、近距離通信モジュールの操作状態情報、位置情報収集センサーの操作状態情報、通信機能関連状態情報、第１装置１００で動作する特定ユーザプログラム、例えば音楽ファイル再生関連情報のうちで少なくとも１つを表示することができる。そしてトレーアイコン４０は機能制御イベントサポートのための第２装置２００ユーザリクエスト発生時の図８Ｆの８１１画面のように機能制御イベント領域４４を含む第４トレー拡張型アイコン８４を出力することができる。第４トレー拡張型アイコン８４は特定ユーザ機能サポートのためにデフォルトでトレーアイコン４０に含まれる形態で提供されることができる。例えば、第４トレー拡張型アイコン８４は第１装置１００に記憶された通話ログ検索機能、フォンブックデータ検索機能、フォンブックデータの項目の削除及び生成機能などをサポートすることができる形態で提供されることができる。
【００８８】
図９は、本発明の実施形態による通信サービス管理機能のうちでメッセージ受信による処理のためのシステム操作方法を説明するための図面である。
【００８９】
図９を参照すれば、本発明の通信サービス管理機能操作のためのシステム操作方法は、９０１段階及び９０２段階で第１装置１００及び第２装置２００がそれぞれの待機状態を有したり当該端末機が提供する特定端末機機能を遂行中の状態になることができる。以後、第１装置１００は９０３段階で第１通信サービス管理プログラム１５１の活性化リクエストが発生すれば無線アクセスポイント３００の接続を行う。以後、第１装置１００は９０５段階で第２装置２００との接続のために認証情報を第１表示部１４０に出力することができる。認証情報表示と共に第１装置１００は９０７段階で通信サービス管理機能待機状態を維持することができる。
【００９０】
一方、第２装置２００も９０４段階で第２通信サービス管理プログラム２５１の活性化リクエスト発生により無線アクセスポイント３００の接続を行うことができる。そして第２装置２００は第１装置１００検索のための過程を９０６段階で行い、検索された第１装置１００の認証情報入力を通じて９０８段階で第１装置１００と無線アクセスポイント３００に基づいて通信接続を行うことができる。ここで第２装置２００は複数個の第１装置が検索されると当該端末機のリストを提供して特定端末機を選択するようにサポートし、この時、特定端末機選択のために端末機固有情報、例えば第１装置１００の電話番号を識別情報として提供することができる。そして上述した説明では第１装置１００が認証情報を表示すれば、ユーザが第１装置１００の認証情報を確認してこれを第１装置１００と通信接続を行う過程で入力することで説明したが、本発明がこれに限定されるものではない。即ち、第２装置２００は第１装置１００と通信接続を遂行した履歴がある場合、認証情報入力過程を遂行せず自動で第１装置１００と通信接続を行うことができる。第２装置２００は９１０段階で待機状態に入る。
【００９１】
一方、第１装置１００は通信機能サポートによって９０９段階のように他の装置からＳＭＳ(Ｓｈｏｒｔ Ｍｅｓｓａｇｅ Ｓｅｒｖｉｃｅ)メッセージ、ＭＭＳ(Ｍｕｌｔｉ−ｍｅｄｉａ Ｍｅｓｓａｇｅ Ｓｅｒｖｉｃｅ)メッセージ、Ｅ−ｍａｉｌメッセージなどを受信することができる。すると、第１装置１００は９１１段階で当該メッセージを第２装置２００に伝達することができる。メッセージ伝達以後の第１装置１００は９１３段階のように通信サービス管理機能サポートのための待機状態を維持することができる。
【００９２】
前記第２装置２００は、第１装置１００からメッセージ受信すれば、９１２段階でメッセージ受信通知を行うことができる。これのために第２装置２００はトレーアイコンを操作することができ、トレーアイコン上にメッセージ受信を指示するテキストやイメージなどを出力するようにサポートすることができる。以後、第２装置２００は９１４段階でメッセージ確認及び返事作成によってデータ及び制御イベントを生成することができる。生成されたデータ及び制御イベントは９１６段階で第１装置１００に伝達することができる。第１装置１００は第２装置２００からデータ及び制御イベントを受信すると、９１５段階で当該データ及び制御イベントによるメッセージに他の装置に送信するようにサポートすることができる。以後、継続的な本発明の通信サービス管理機能サポートのために第１装置１００は９０９以前段階へ復帰して第２装置２００は９１０段階以前へ復帰することができる。
【００９３】
図１０は、本発明の実施形態による通信サービス管理機能のうちでメッセージ受信及び処理を説明するための画面例示図である。
【００９４】
図１０を参照すれば、第１装置１００は他の装置からＳＭＳ、ＭＭＳ、Ｅ−ｍａｉｌなどの文字やテキスト及びイメージのうちの少なくとも１つを含むメッセージを受信すれば、１００１画面のように当該メッセージ受信を案内する画面を出力することができる。例えば、第１装置１００はメッセージ受信を通知するポップアップウィンドーを第１表示部１４０の一側に出力することができる。一方、第１装置１００は他の装置からメッセージを受信すれば、受信されたメッセージを第２装置２００に伝達されることができる。
【００９５】
すると、第２装置２００は１００３画面のように受信されたメッセージをトレーアイコン４０上に出力することができる。ここで第２装置２００は受信されたメッセージをトレーアイコン４０で定義するフォーマットに合うように変形して出力することができる。例えば、第２装置２００は受信されたメッセージの内容のうちの一部内容をトレーアイコン４０に示すように表示するが、トレーアイコン４０の全体サイズに合うように調節して出力することができる。一方、メッセージ受信を案内するためのトレーアイコン４０は一時的に表示されてから、一定時間経過後の当該トレーアイコン４０を第２表示部２４０で除去するようにサポートすることができる。この時、第２装置２００はメッセージ受信を持続的に案内するためにトレー基本アイコン４９の色相や模様のうちで少なくても一部を変形するように制御することができる。すると、ユーザはトレー基本アイコン４９を選択することによって第１装置１００が伝達したメッセージの詳細内容を確認することができる。ユーザがトレー基本アイコン４９を選択する場合、第２装置２００はメッセージ内容を案内した以前トレーアイコン４０を第２表示部２４０に表示することができる。又は第２装置２００はメッセージ内容全体を確認することができるサイズでトレーアイコンの形態で変形し、変形されたトレーアイコンを第２表示部２４０に出力するようにサポートすることができる。一方、前記トレー基本アイコン４９は第２装置２００が第１装置１００と通信接続を維持しながら通信サービス管理機能を遂行していることを示すために、示されたようにタスクバー２４１のデォルト又は予め決めた一定位置に出力されることができる。前記位置はユーザにより変更されることができる。
【００９６】
一方、上述した説明では第１装置１００はメッセージ受信を案内するために受信されたメッセージ関連ポップアップウィンドーを第１表示部１４０に出力することで示したが本発明がここに限定されるものではない。即ち、前記第１装置１００は第２装置２００と通信接続された状態に基づいて通信サービス管理機能を遂行している状態では前記第１表示部１４０の活性化を抑制することができる。結果的に、第１装置１００は他の装置からメッセージを受信しても受信されたメッセージを別に第１表示部１４０に出力しないように制御することもできる。
【００９７】
図１１は、本発明の実施形態による通信サービス管理機能のうちで第２装置２００のデータ作成機能によるシステム操作方法を説明するための図面である。
【００９８】
図１１を参照すれば、図９等で前述したように第１装置１００及び第２装置２００は１１０１段階乃至１１０８段階を経ながら本発明の通信サービス管理機能サポートのための通信接続を無線アクセスポイント３００に基づいて行うことができる。
【００９９】
以後、第２装置２００は１１１０段階で通信サービス管理機能サポートのための待機中の状態を有することができる。この時、第２装置２００は通信サービス管理機能以外の他の機能、例えば文書作成、ファイル編集、動画再生、静止画像検索などの機能遂行をサポートすることもできる。一方、ユーザは第１装置１００からテキストメッセージやマルチメディアメッセージ又はインスタントメッセージなどを受信し、それによる返事を提供するために１１１２段階のように返事の内容に該当するデータ記入及び当該データの送信のための制御イベントを生成することができる。すると、第２装置２００は作成されたデータ及び制御イベントを１１１３ 段階で第１装置１００に送信することができる。
【０１００】
第２装置２００からデータ及び制御イベントを受信すれば、第１装置１００は１１１４段階でデータ及び制御イベントに該当する特定メッセージに他の装置に送信するように制御することができる。例えば、第１装置１００はデータをインスタントメッセージの内容で記入し、当該インスタントメッセージを制御イベントによって他の装置に送信するように制御できる。この時、制御イベントは当該インスタントメッセージに他の装置から受信されたインスタントメッセージに対する返事として送信するように指示するイベントになることができる。又は、制御イベントは他の装置から受信された通話接続リクエストや、テキストメッセージ又はマルチメディアメッセージに対する返事で当該メッセージを送信するように指示するイベントになることができる。前記第１装置１００及び第２装置２００はデータ及び制御イベントによるメッセージ送信以後のそれぞれの通信サービス管理機能に係る待機状態へ復帰することができる。ここで通信サービス管理機能に係る待機状態は前述したように、ユーザ操作によって他のユーザ機能を行ったり、若しくはスリップ状態を維持しながら、通信サービス関連イベント発生やその他の第２装置２００による第１装置１００機能遂行のためのイベント発生などを待機する状態を含むことができる。
【０１０１】
図１２は、本発明の実施形態による通信サービス管理機能のうちでデータ及び制御イベント作成に係る画面インタペースの一例を示す図面である。
【０１０２】
図１２を参照すれば、第１装置１００は他の装置とインスタントサービスチャンネルを形成し、他の装置とインスタントメッセージを送受信することができる。これによって第１装置１００は１２０１画面のようにインスタントメッセージ送受信画面を第１装置表示部１４０に出力することができる。一方、第１装置１００は他の装置とインスタントサービスチャンネルを形成した状態で、他の装置からインスタントメッセージを受信すれば、受信されたインスタントメッセージを第２装置２００に送信することができる。第２装置２００は受信されたインスタントメッセージを１２０３画面に示されたようにトレーアイコン４０を通じて出力することができる。この時、トレーアイコン４０は以前の送受信されたインスタントメッセージ関連通話内容のうちで少なくとも一部を第１装置１００から受信し、受信されたインスタントメッセージをトレーアイコン４０上に出力するようにサポートすることができる。ここでトレーアイコン４０は、インスタントメッセージ受信を案内する機能だけではなく、インスタントメッセージに対する返事を作成することができるメッセージ作成機機能を行うこともできる。これによりユーザはトレーアイコン４０を用いて第１装置１００が受信したメッセージ確認だけではなく当該メッセージに対する返事としてデータ及び制御イベント作成も行うことができる。
【０１０３】
一方、第１装置１００は、第２装置２００からインスタントメッセージに係るデータ、当該インスタントメッセージに他の装置に送信するようにリクエストする制御イベントを受信することができる。すると、第１装置１００は受信されたデータ及び制御イベントによって当該インスタントメッセージに他の装置に送信するように制御することができる。一方、示された図面では第１装置１００がインスタント関連画面を出力することで示したが、第１装置１００が通信サービス管理機能を行う間には情報の画面出力を中止することができる。これにより第１表示部１４０は別途の情報出力なく、電源供給が遮られた状態を維持することができる。
【０１０４】
図１３は、本発明の実施形態による通信サービス管理機能のうちで通話ログ機能制御イベント利用によるシステム操作方法を説明するための図面である。
【０１０５】
図１３を参照すれば、図９等で前述したように第１装置１００及び第２装置２００は１３０１段階乃至１３０８段階を遂行しながら無線アクセスポイント３００に基づいて通信接続を行うことができる。以後、第２装置２００は通信サービス管理機能に対して待機のうちで状態を１３０９段階で行うことができる。そして第２装置２００はユーザが第１装置１００の特定機能、例えば通話ログ確認のための機能制御イベントを生成しようとする場合、これをサポートするための画面インターフェースを提供することができる。そして第２装置２００はユーザ入力によって通話ログ確認のための機能制御イベントを１３１０段階で生成することができる。生成された通話ログ機能制御イベントは１３１１段階から第１装置１００に伝達することができ、第１装置１００は通話ログ機能制御イベントによって第１記憶部１５０に記憶された通話ログ１５５を呼び出すように制御することができる。以後、第１装置１００は通話ログ機能制御イベントによる機能遂行結果として呼び出された通話ログ１５５を１３１３段階から第２装置２００に送信することができる。
【０１０６】
第２装置２００は１３１４ 段階で第１装置１００が提供した通話ログ１５５を第２端末表示部２４０に出力することができる。この時、第２装置２００は受信された通話ログ１５５を記憶せず、出力機能のみを行うことができる。結果的に第２装置２００は機能制御イベント生成及び伝達を通じて第１装置１００の特定機能を制御することができる。ここで第２装置２００は第１装置１００の特定機能制御のために第１装置１００がサポート可能な端末機機能をリストとして提供することができる。
【０１０７】
図１４は、本発明の通信サービス管理機能のうちで通話ログ関連機能制御イベント処理を説明するための画面例示図である。
【０１０８】
図１４を参照すれば、第２装置２００は特定ユーザ機能、例えば文書作成機能を行うことができ、これにより第２端末表示部２４０は文書作成機を画面に出力することができる。一方、第２装置２００は第１装置１００と通信サービス管理機能を行うことができ、これを指示するために第２端末表示部２４０の一側にトレー基本アイコン４９を出力することができる前記トレー基本アイコン４９は前述した１３０１段階乃至１３０８段階を遂行しながら第１装置１００と第２装置２００が通信サービス管理機能サポートのための通信接続を完了すれば第２表示部２４０の一定位置、例えばタスクバー２４１に表示されることができる。一方、第２装置２００は第１装置１００の特定機能制御のための入力信号、例えばトレー基本アイコン４９の活性化のための入力信号が発生すれば、第１装置１００の機能制御をリストを含むトレーアイコンを第２表示部２４０に出力することがある。この中、ユーザが通話ログ確認のための項目を選択する場合、第２装置２００は通話ログ確認をための機能制御イベントを第１装置１００に伝達することができる。
【０１０９】
すると、第１装置１００は伝達された通話ログ機能制御イベントによって第１記憶部１５０に記憶された通話ログ１５５を呼び出し、当該通話ログ１５５を第２装置２００に伝達することができる。即ち、第１装置１００は第２装置２００の通話ログ１５５リクエスト(ｒｅｑｕｅｓｔ)に従って通話ログ１５５の応答(ｒｅｓｐｏｎｓｅ)を第２装置２００に伝達することができる。この過程で第１装置１００は１４０１画面のように通話ログ１５５を第１表示部１４０に出力することができる。又は第１装置１００は設計意図により又はユーザ設定などにより通話ログ１５５を第１表示部１４０に出力せず通話ログを第２装置２００に伝達する機能のみをバックグラウンドプロセッシングを通じて行うこともできる。
【０１１０】
第１装置１００から通話ログ１５５を受信すれば、第２装置２００は１４０３画面のように通話ログ１５５情報のうちで少なくとも一部情報をトレーアイコン４０を通じて出力することができる。この時、第２装置２００は通話ログ１５５情報をトレーアイコン４０のフォーマットに合うように調整した後、出力することができる。ここで第２装置２００はトレーアイコン４０は第１装置１００の通話ログ１５５表示フォーマットと同一な場合には同一画面が出力されることができる。又は第２装置２００はトレーアイコン４０の表示フォーマットが第１装置１００の通話ログ表示フォーマットと相違する場合、トレーアイコン４０の表示フォーマットに合うように通話ログ情報の表示形態を調整して出力することができる。第２装置２００は通話ログを含むトレーアイコン４０を一定時間又はユーザが指定した時間の間の出力して第２表示部２４０から除去することができる。そして第２装置２００は第１装置１００との通信サービス管理機能維持を示すためにトレー基本アイコン４９をタスクバー２４１の一側に出力することができる。一方、ユーザは前記トレーアイコン４０に出力される通話ログを用いてテキストメッセージを作成したり電子メールを作成することができ、作成された情報を第１装置１００に伝達して他の装置に送信することもできる。即ち、第２装置２００は図１１等で前述したデータ及び制御イベント処理機能を前記機能制御イベント処理機能の結果物に基づいて行うようにサポートすることもできる。
【０１１１】
図１５は、本発明の実施形態による通信サービス管理機能のうちで検索機能制御イベント処理によるシステム操作方法を説明するための図面である。
【０１１２】
図１５を参照すれば、第１装置１００及び第２装置２００は図９等で前述したように１５０１段階乃至１５０８段階を遂行しながら本発明の通信サービス管理機能をサポートするために無線アクセスポイント３００に基づいて通信接続を行うことができる。以後、第２装置２００は１５０９段階のように待機中の状態を有することができる。又は第２装置２００はユーザ制御によって第２装置２００がサポート可能な特定ユーザ機能を行うようにサポートすることができる。一方、第２装置２００はユーザ制御によって１５１０段階で検索機能制御イベントを生成することができる。これのために第２装置２００は第１装置１００がサポートする端末機機能のリストを含むリスト画面を第２端末表示部２４０に提供することができる。前記第１装置１００の機能リストは第２装置２００が第１装置１００にリクエストして受信することができる。そしてリスト画面で検索機能項目を選択する場合、第２装置２００は検索機能サポートのための画面インターフェースを提供することができる。第２装置２００はユーザが第１装置１００に記憶された情報中の特定情報検索のために検索語を入力する場合、当該検索語を含む検索機能制御イベントを生成し、１５１１段階のように第１装置１００に伝達することができる。
【０１１３】
検索機能制御イベントを受信した第１装置１００は、１５１２段階で検索機能制御イベントによる機能を行うことができる。即ち、第１装置１００はユーザが入力した検索語に該当する検索結果を収集することができる。そして制１端末機１００は１５１３段階で検索結果を第２装置２００に送信する。第２装置２００は１５１４段階で受信された検索結果を画面の一側に出力することができる。特に、第２装置２００は受信された検索結果をトレーアイコン４０上に出力することができる。
【０１１４】
図１６は、本発明の実施形態による通信サービス管理機能のうちで検索機能制御イベント処理に係る画面インタペースの一例を示す図面である。
【０１１５】
図１６を参照すれば、第１装置１００は第２装置２００と通信サービス管理機能を行う場合、１６０１画面のように通信サービス管理機能遂行のための待機中の状態を維持することができる。ここで前記待機中の状態は第２装置２００と無線アクセスポイント３００を通じて通信接続状態を維持しながら、他の装置から又は第２装置２００からイベント受信を待機する状態になることができる。これにより１６０１画面で第１装置１００は第１表示部１４０の電源供給を遮断して電源節約機能を行うこともできる。
【０１１６】
一方、第２装置２００は、通信サービス管理機能遂行によってトレー基本アイコン４９を１６０２画面に示されたようにタスクバー２４１に表示しながらユーザ制御により特定ユーザ機能、例えばファイル編集機能を操作することができる。これにより、第２装置２００の第２端末表示部２４０は１６０２画面のようにファイル編集機を表示することができる。一方、第２装置２００は、ユーザから第１装置１００の機能制御のうちで検索機能を操作リクエストが受信されると、これをサポートするために検索機能サポートのためのトレーアイコン４０を出力したり別途の第１装置１００機能制御のためのサーチウィンドーをトレー基本アイコン４９と連係される領域又は別途の独立された領域１６０２画面及び１６０４画面に独立的に示されたように出力することができる。ここで第２装置２００は、前述したように第１装置１００の機能のうちで特定機能を選択するための第１端末機の機能リスト画面を出力することができ、当該画面で選択された機能をサポートするために前記トレーアイコン４０などを出力するようにサポートできる。ここで、第１端末機の機能リスト画面もトレーアイコン４０を通じて提供されたり別途のプップアップウィンドーがメニュ−ウィンドーなどを通じて提供されることができる。例えば、ユーザがトレー基本アイコン４９をクリックする場合、第１端末機機能リスト画面がトレーアイコン４０の形態に出力されることができ、その中、検索機能項目を選択すれば１６０２画面のように検索機能サポートのためのトレーアイコン４０が提供されることができる。ユーザは当該トレーアイコン４０を用いて特定検索語を入力することができる。検索語入力が完了すれば、第２装置２００は当該検索語を含む検索機能制御イベントを生成してこれを第１装置１００に伝達する。
【０１１７】
第１装置１００は第２装置２００から検索機能制御イベントを受信すれば、当該イベントに含まれた検索機能活性化イベント及び検索語を抽出し、第１装置１００の検索機能を活性化し、抽出された検索語に該当する検索結果を収集することができる。この過程を通じて第１装置１００は入力された検索語に該当する情報を１６０３画面ように出力することができる。例えば、検索機能制御イベントがフォンブックデータ１５３のうちの特定フォンブック項目を要求する場合、当該機能要求によりフォンブック項目を検索してこれを１６０３画面のように第１表示部１４０に出力することができる。ここで前記第１装置１００は電源節約のために通信サービス管理機能を行う中にユーザ設定などによって第１表示部１４０の情報表示を抑制して電源供給を遮断するようにサポートすることもできる。検索結果が収集されると第１装置１００は当該検索結果であるフォンブック項目を第２装置２００に伝達することができる。
【０１１８】
第２装置２００は、第１装置１００から検索結果を受信すれば、当該検索結果を第２端末表示部２４０に出力するようにサポートすることができる。この時、第２装置２００は検索結果を１６０４画面で第２表示部２４０の全体に出力することができるが、トレーアイコン４０を通じて限定された領域及び限定された位置に出力するようにサポートすることができる。これを通じて本発明はユーザが第２装置２００を用いて特定作業を行うに当り別に利用する通信サービス管理機能によって集中分散が最小化されるようにサポートすることができる。また、本発明は全体画面出力などを通じて画面移動や、画面制御のための不必要な追加制御動作の発生を抑制することができる。
【０１１９】
図１７は、本発明の実施形態による通信サービス管理機能のうちでフォンブックデータ機能制御に係るシステム操作方法を説明するための図面である。
【０１２０】
図１７を参照すれば、本発明の第１装置１００及び第２装置２００は１７０１段階乃１１７０段階を通じて通信サービス管理機能サポートのための通信接続を行うことができる。以後第２装置２００は１７０９段階のように通信サービス管理機能に係る待機中の状態を維持することができる。一方、第２装置２００はユーザリクエストに応じてフォンブックデータに新しい連絡先を追加したり、フォンブックデータに含まれた連絡先を削除又は修正するように制御するフォンブックデータ機能制御イベントを１７１０段階で生成することができる。これのために第２装置２００はフォンブックデータ機能制御に係るメニュー項目などを第２表示部２４０、特にトレー基本アイコン４９又はトレー基本アイコン４９選択によるトレーアイコン４０を通じて提供することができる。又は第２装置２００は新しい連絡先作成のための画面インターフェース、フォンブックデータの情報削除や修正のための画面インターフェースを提供することができる。一方、フォンブックデータ機能制御イベントが生成されると、第２装置２００は１７１１段階でフォンブックデータ機能制御イベントを第１装置１００に伝達することができる。
【０１２１】
第１装置１００はフォンブックデータ機能制御イベントを第２装置２００から受信すれば、フォンブックデータ機能制御イベントに係る機能遂行をサポートすることができる。これのために第１装置１００は第１記憶部１５０に記憶されたフォンブックデータ１５３を呼び出し、第２装置２００から受信されたフォンブックデータ機能制御イベントに含まれたフォンブック項目をフォンブックデータ１５３に新たに記入したり、フォンブックデータ１５３に含まれた特定情報を削除したり、修正するように制御することができる。即ち、第１装置１００は１７１２段階でフォンブックデータ機能制御イベントによるフォンブックデータ更新を行うことができる。
【０１２２】
フォンブックデータ更新が完了すれば、第１装置１００は１７１３段階で更新完了を案内するメッセージを第２装置２００に伝達することができ、第２装置２００は１７１４ 段階で更新完了メッセージ受信を第２表示部２４０を通じて通知することができる。
【０１２３】
図１８は、本発明の通信サービス管理機能のうちでフォンブックデータ機能制御に係る画面インターフェースの一例を示した図面である。
【０１２４】
図１８を参照すれば、本発明の第２装置２００は特定ユーザ機能、例えば “ギャラリー”機能を操作することができる。この時、第２装置２００は第１装置１００と通信サービス管理機能を操作中の状態になることができる。これにより第２装置２００はタスクバー２４１の一側にトレー基本アイコン４９を１８０３画面で出力することができる。一方、第２装置２００はユーザ制御によって第１装置１００のフォンブックデータ１５３に新しい連絡先を記入するための機能をリクエストを受ける場合、これをサポートするための画面インターフェースを１８０３画面のように画面一側にレーアイコン４０の形態で提供することができる。するとユーザはトレーアイコン４０を用いて新しい連絡先に利用される情報、例えば、名前、電子メール住所などを入力することができる。新しい連絡先生成が完了すれば第２装置２００は当該フォンブックデータを含む機能制御イベントを生成し、これを第１装置１００に伝達することができる。
【０１２５】
第１装置１００は第２装置２００からフォンブックデータ機能制御イベントを受信すれば、当該フォンブックデータ機能制御イベントに含まれた機能と新しい連絡先情報を抽出し、該当の機能によって新しい連絡先情報を第１記憶部１５０に記憶されたフォンブックデータ１５３に適用するように制御することができる。これにより第１装置１００は１８０１画面のようにフォンブックデータ更新画面を第１表示部１４０に出力することができる。又は第１装置１００は前述したように別途のフォンブックデータ更新画面出力を抑制することもできる。一方、第１装置１００はフォンブックデータ更新が完了すれば、更新完了を第２装置２００に案内することができ、第２装置２００は第２表示部２４０を通じて更新完了に対する案内メッセージ出力を行うことができる。
【０１２６】
一方、上述した説明で言及したトレーアイコンは、図１９Ａ乃至図１９Ｂに示したような形態でも提供されることができる。これをより詳しく説明すれば、第２装置２００に出力されるトレーアイコン４０は図１９Ａの１９０１画面のように本発明の通信サービス管理機能実行のための機能制御イベントに係るメッセージプログラム実行項目、新しいメッセージ作成項目、管理機能実行項目、メニュー項目、終了項目などを含む形態で提供されることができる。ここで機能制御イベントと関連されたメッセージプログラム実行項目を行う場合、第２装置２００は図１９Ｂの１９０３画面のように第１装置１００に伝達する機能制御イベント、例えば連絡先検索のようなイベントを生成する項目、環境設定項目、 ｄｉｓｃｏｎｎｅｃｔｉｎｇ項目、メッセージプログラム実行を終了するための終了項目などを表示することができる。
【０１２７】
上述した本発明の通信サービス管理機能を要約すれば、本発明は第２装置２００を用いて第１装置１００の多様な端末機機能に対する通知を確認し、当該通知に対する処理を行ったり第１装置１００の機能制御を行うようにサポートする。これによりユーザは第１装置１００の配置位置などにかかわらず第２装置２００を用いて第１装置１００の機能制御をより容易に処理することができ、第１装置１００を通じて受信される通信サービス関連イベントをリアルタイムで確認及び処理することができる。追加に本発明は第１装置１００及び第２装置２００がそれぞれサーバー及びクライアント形態で動作し、第２装置２００が第１装置１００のデータベースに接近して機能制御及びメッセージ処理(受信、送信、削除編集など)を行う。メッセージ受信時の第１装置１００は連動された第２装置２００を通じてメッセージの送信者名と内容のうちで少なくとも一部を提供することができ、この時、第２装置２００でポップアップウィンドーなどの形態や前述べしたようにトレーアイコン４０を通じて提供することができる。ここで本発明の第２装置２００は返事作成及び送信機能を前述べしたようにサポートすることができる。追加に第２装置２００は返事作成及び提供時のファイル添付機能を行うことができ、これのためにファイル添付のためのダイアログボックスに該当するユーザインターフェースを提供することができる。このように前記第２装置２００は第１装置１００に記憶された情報接近を通じて連絡先検索、登録、修正、通話ログや最近連絡先ヒストリー、メッセージ検索、メッセージ作成及びメッセージファイル添付機能をサポートすることができる。これにより第２装置２００は第１装置１００と通信サービス管理機能遂行のための接続情報を除いて他の情報を記憶しなくなり第１装置１００に記憶された情報の重複記憶を避けることができ、記憶空間の使用効率性を改善することができる。追加に前記第２装置２００は第１装置１００との接続後、第１装置１００の固有情報、例えばＭＡＣ Ａｄｄｒｅｓｓを記憶管理して、追後第１装置１００検索を自動で行うことによって、より容易な接続をサポートすることができる。
【０１２８】
追加に上述した説明ではトレーアイコン４０が一時的に第２端末表示部２４０に表示される形態で説明するが本発明がここに限定されるものではない。即ち、トレーアイコン４０を固定された位置とサイズをもって第２装置表示部２４０上に表示されることができる。また、トレーアイコン４０は固定された時間の間の表示されることができ、若しくは継続表示されることができ、ユーザ設定等により表示される位置、サイズ、時間等が設定されることができる。
【０１２９】
一方、上述した第１装置及び第２装置はその提供形態によって多様な追加モジュールをさらに含むことができる。即ち、前記装置は近距離通信のための近距離通信モジュール、前記装置の有線通信方式又は無線通信方式によるデータ送受信のためのインターフェース、インターネットネットワークと通信してインターネット機能を行うインターネット通信モジュール及びデジタル放送受信と再生機能を行うデジタル放送モジュールなどのように前記で言及されない構成をさらに含むことができる。このような構成要素はデジタル機器のコンバージョンス(ｃｏｎｖｅｒｇｅｎｃｅ)趨勢によって変形が非常に多様で全部列挙することはできないが、前記言及された構成要素と同等な水準の構成要素が前記デバイスに追加にさらに含んで構成されることができる。また、本発明の装置はその提供形態により前記構成で特定構成が除外されたり他の構成で取り替えられることもできることは勿論である。これは本技術分野の通常の知識を有する者には容易に理解されることができるでしょう。
【０１３０】
また、本発明の実施形態による前記端末機は多様な通信システムに対応される通信プロトコル(ｃｏｍｍｕｎｉｃａｔｉｏｎ ｐｒｏｔｏｃｏｌｓ)に基づいて動作するすべての移動通信装置(ｍｏｂｉｌｅ ｃｏｍｍｕｎｉｃａｔｉｏｎ ｔｅｒｍｉｎａｌｓ)を含み、ＰＭＰ(Ｐｏｒｔａｂｌｅ Ｍｕｌｔｉｍｅｄｉａ Ｐｌａｙｅｒ)、デジタル放送プレーヤー、ＰＤＡ(Ｐｅｒｓｏｎａｌ Ｄｉｇｉｔａｌ Ａｓｓｉｓｔａｎｔ)、音楽再生機(例えば、ＭＰ３プレーヤー)、携帯ゲーム端末、スマートフォン(Ｓｍａｒｔ Ｐｈｏｎｅ)、ノートブック(Ｎｏｔｅｂｏｏｋ)及びハンドヘルドＰＣなど全ての情報通信機器とマルチメディア機器及びそれに対する応用機器を含むことができる。
【０１３１】
本発明による前述した装置及び方法は、ハードウェアやファームウエアで、又はソフトウェアやコンピューターコードで、若しくはそれらの組合として具現されることができる。また、前記ソフトウェアやコンピューターコードはＣＤ ＲＯＭのような非−一時的記録媒体に、 削除可能であるか否か、若しくは再記録可能であるか否かにかかわらずＲＡＭ又はＲＯＭに、フロッピー（登録商標）ディスク、ＣＤ、ＤＶＤ、メモリチップ、ハードディスク、磁気記憶媒体、光学記憶媒体、又は磁気光学ディスクに記憶されることができ、遠隔記録媒体、コンピューター判読可能記録媒体、又は非−一時的の機械判読可能媒体に最初記憶されてネットワークを通じてダウンロードされたり、ローカル記録媒体に保存されてダウンロードされることができる。従って、ここに説明された方法は、汎用コンピュータ、ディジタルコンピューター、又は特定プロセッサを用いたり、又はＡＳＩＣや ＦＰＧＡのようなプログラマブル又は専用ハードウェアで、記録媒体に記憶されたソフトウェア、コンピューターコード、ソフトウェアモジュール、ソフトウェア客体、コマンド、アプリケーション、アプレット、アプリ等で提供されることができる。本発明の技術分野によく知られたように、コンピューター、プロセッサ、マイクロプロセッサーコントローラー、又はプログラマブルハードウェアは、ソフトウェアやコンピューターコードを記憶して受信することができる、例えばＲＡＭ、ＲＯＭ、フラッシュなどの、揮発性及び／又は非揮発性記憶及びメモリー部材を含む。これらはコンピューター、プロセッサ、又はハードウェアによりアクセス及び実行可能であり、ここに開示された処理方法を行う。また、汎用コンピューターがここに開示された処理を行うコードにアクセスする時、コードの実行は汎用コンピューターをここに開示された処理を行う特殊目的のコンピューターで転換させることに認識されることができる。また、プログラムは有無線接続により送信される通信信号などのような媒体を通じて電子的に伝達することができる。プログラム及びコンピューター判読可能記録媒体は、ネットワーク接続されたコンピューターシステムに分布されることができ、それによりコンピューター判読コードは分散形態に記憶されて実行される。
【０１３２】
従って、実施形態は本明細書の少なくとも１つの請求項に記載した装置又は方法を行うためのコードを含むプログラム及びそれらのプログラムを記憶する判読可能記憶媒体を提供する。このようなプログラムは有無線接続を通じて送信される通信信号のような任意の媒体を通じて電子的に伝達することができ、実施形態はこれらを全てを適切に含む。
【０１３３】
本明細書の詳細な説明及び請求項を含めて“含む”及び“備える”という用語、及びその変形(例えば、“含み”、“含む”)は “〜に限定されず含む”を意味し、他の要素、個体、又は段階を排斥しないことを意味する。
【０１３４】
本明細書の詳細な説明及び請求項を含めて単数型は、文脈上の明白にそうではない場合を除いて複数型を含む。特に、不確定の項目が用いられる場合、文脈上のそうではない場合を除いて単純型だけではなく複数型に意図することに理解されるべきである。
【０１３５】
本発明の特定態様、実施形態、又は例示について説明された特徴、個体又は特性は明白に相反しない限り、他の態様、他の実施形態、若しくは他の例示にも適用可能なことに理解されなければならない。
【０１３６】
本明細書の詳細な説明及び請求項含めて“ＹのためのＸ”(Ｙはある動作、行為、又は段階であり、Ｘはそういう動作、行為、又は段階を行うある手段)形態を有する文句は、特別に Ｙをするのに適合な手段Ｘを意味することで理解されるでしょう。
【０１３７】
一方、本明細書と図面を通じて本発明の好ましい実施形態に対して説明した。たとえ特定用語が使用されたが、これはただ本発明の記述内容を容易に説明して発明の理解を助けるための一般的な意味で使用されたものであるだけ、本発明の範囲を限定しようとするのではない。ここに開示された実施形態の外にも本発明の技術的思想に基いた他の変形例が実施可能であるということは本発明が属する技術分野で通常の知識を有する者に自明なものである。
【符号の説明】
【０１３８】
１０  通信サービス管理システム
１００  第１装置
２００  第２装置
３００  無線アクセスポイント
４００  ネットワーク
１１０  第１無線通信部
１２０  第１入力部
１３０  第１オーディオ処理部
１４０  第１表示部
１５０  第１記憶部
１５１  第１通信サービス管理プログラム
１５３  フォンブックデータ
１５５  通話ログ
１６０  第１制御部
１７０  第１Ｗｉ−Ｆｉ（登録商標）通信モジュール
【図１】
2015520554.tif 000003
【図２】
2015520554.tif 000004
【図３】
2015520554.tif 000005
【図４】
2015520554.tif 000006
【図５】
2015520554.tif 000007
【図６】
2015520554.tif 000008
【図７】
2015520554.tif 000009
【図８Ａ】
2015520554.tif 000010
【図８Ｂ】
2015520554.tif 000011
【図８Ｃ】
2015520554.tif 000012
【図８Ｄ】
2015520554.tif 000013
【図８Ｅ】
2015520554.tif 000014
【図８Ｆ】
2015520554.tif 000015
【図９】
2015520554.tif 000016
【図１０】
2015520554.tif 000017
【図１１】
2015520554.tif 000018
【図１２】
2015520554.tif 000019
【図１３】
2015520554.tif 000020
【図１４】
2015520554.tif 000021
【図１５】
2015520554.tif 000022
【図１６】
2015520554.tif 000023
【図１７】
2015520554.tif 000024
【図１８】
2015520554.tif 000025
【図１９Ａ】
2015520554.tif 000026
【図１９Ｂ】
2015520554.tif 000027
【国際調査報告】
2015520554.tif 000028
2015520554.tif 000029